(57)【要約】【課題】  簡素な構成で且つ施工効率を向上することでコストを低減することができ、コンクリート基礎壁面の外観が損なわれることがなく型枠の傾倒を防止するようにしたコンクリート型枠傾倒防止具を提供する。【解決手段】  地盤Ｇ上に長手方向に立設保持される複数の縦長外枠２に対応して内枠４が所定間隔をもってベースコンクリートＢＣ上に立設保持され、各縦長外枠２の両端には連結具１０を挿通するための複数の連結孔５を穿設したフランジＦを備え、型枠傾倒防止具８は、薄板鋼鈑で方形状に形成された長手方向に複数の貫通孔６が穿設されて、その一端側が上記縦長外枠２の下方に打設されるベースコンクリートＢＣの上面側内部に臨むように隣接する縦長外枠２のフランジＦ間に他端側が挟持され、挟持された他端側が貫通孔６と選択されたフランジＦの連結孔５とを挿通した連結具１０により締結されている。【選択図】  図１
0003119713.tif 000002
【実用新案登録請求の範囲】
【請求項１】
ベースコンクリートＢＣ上にコンクリートを打設してコンクリート基礎を形成する際に使用すべく所定間隔で対向配置される内枠４と外枠２から成る型枠の外方への傾倒を防止するコンクリート型枠傾倒防止具８に於いて、
上記ベースコンクリートＢＣおよび該ベースコンクリートＢＣ上に打設されるコンクリートＣを収容保持すべく、地盤Ｇ上に長手方向に立設保持される複数の縦長外枠２に対応して内枠４が所定間隔をもって上記ベースコンクリートＢＣ上に立設保持され、上記各縦長外枠２の両端には、該縦長外枠２同士を接続すべく連結具１０を挿通するための複数の連結孔５を穿設したフランジＦを備えて成り、
上記型枠傾倒防止具８は、薄板鋼鈑で所定長さの方形状に形成された長手方向に複数の貫通孔６が穿設されて、その一端側が上記縦長外枠２の下方に打設される上記ベースコンクリートＢＣの上面側内部に臨むように隣接する縦長外枠２のフランジＦ間に他端側が挟持されると共に、挟持された他端側が上記貫通孔６と選択された上記フランジＦの連結孔５とを挿通した上記連結具１０により締結され、上記ベースコンクリートＢＣ上にコンクリートＣが打設された際に上記縦長外枠２の傾倒を防止するようにしたことを特徴とするコンクリート型枠傾倒防止具。
【請求項２】
上記型枠傾倒防止具８は、上記縦長外枠２の離脱後に上記ベースコンクリートＢＣの外壁面から突出した該外壁面に対応する上下端縁に切断可能な切り欠き１３ａ，１３ｂが形成されていることを特徴とする請求項1に記載のコンクリート型枠傾倒防止具。
【考案の詳細な説明】
【技術分野】
【０００１】
本考案は、ベースコンクリート上にコンクリートを打設してコンクリート基礎を形成する際に使用すべく所定間隔で対向配置される内枠と外枠から成る型枠の外方への傾倒を防止するコンクリート型枠傾倒防止具に関する。
【背景技術】
【０００２】
従来より、コンクリート基礎を施工する際にベースコンクリート上にコンクリートを打設してコンクリート基礎を形成する際に使用すべく所定間隔で対向配置される内枠と外枠から成る型枠が使用されている。
【０００３】
例えば、図５は従来のコンクリート基礎を形成する型枠保持具を示す断面図である。図５において、コンクリート基礎用型枠３０１は、地盤上に立設される縦長の外枠３０２と、該外枠３０２に対し所定間隔離間して対向配置すべくベースコンクリートＢＣ上に立設される短尺の内枠３０４とから構築されており、上記外枠３０２の内側にベタ基礎となるベースコンクリートＢＣが打設された状態で、ベースコンクリートＢＣ上に立設保持された内枠３０４と外枠３０２上部の間にコンクリートＣが打設される。
【０００４】
このように構成される型枠３０１では、ベースコンクリートＢＣ上に打設されるコンクリートＣの重量が縦長の外枠３０２の内側に作用することから、この外枠３０２の上端では垂直面に対し外側へδ１の傾倒が生じ、外枠３０２下方のベースコンクリートＢＣ上面部位では更に少ない傾倒δ２が生じる。
【０００５】
上記外枠３０２の傾倒によって、固化されているベースコンクリートＢＣの壁面を形成する外枠３０２の内壁と、ベースコンクリートＢＣ上端側の外壁面との間に隙間（＝傾倒δ２）が形成されるため、この隙間に打設されたコンクリートＣが流れ込み、これが固化すると、上記外枠３０２を取外した際に流れ込んだコンクリートＣがベースコンクリートＢＣの外壁面上に段差となって表出するため、コンクリート基礎壁面の外観が損なわれる問題を有していた。
【０００６】
このような上記外枠の傾倒を防止するものとして、型枠保持具（例えば特許文献１参照）が提案されている。図６は型枠の傾倒を防止した従来の型枠保持具の部分断面図を示すものである。図６において、型枠保持具は、予めコンクリートＣ内に埋設されて外枠３０２’を挿通して先端が外方に突出したボルト部３１４付きコーン３１５に連結されるボルト杆３１２と、このボルト杆３１２に被嵌される押え部材３０５と、この押え部材３０５を外枠３０２’側へ押圧すべくボルト杆３１２に螺合したナット体３１０とから成り、押え部材３０５の外枠３０２’側の面に対して上記ボルト杆３１２の上下で二本の横角パイプ３０６ａ，３０６ｂを外枠３０２’外面との間で押圧支持する支持部３０８が設けられ、この押え部材３０５には上記外枠３０２’に当接する支持脚３１８が設けられている。
【０００７】
上記外枠３０２’は、平板に所定間隔を置いて複数の縦条３２０が設けられ、所定間隔をおいて内外枠を左右に立設するもので、外枠３０２’の外面には、上記縦条３２０に交叉状態にして所定間隔を置いて配設される横角パイプ３０６ａ，３０６ｂが設けられ、この横角パイプ３０６ａ，３０６ｂによって上記複数枚の内外枠が一体化せしめられている。
【０００８】
外枠３０２’の内外枠間には、コンクリートＣ内に埋設されて上記外枠３０２’から突出する架設部材３２２が架設されており、この架設部材３２２は、上記コンクリートＣ内に埋設された埋設ボルト３２４に外枠３０２’から嵌挿して突出するボルト部３１４付きコーン３１５が連結されており、上記外枠３０２’から突出した上記ボルト部３１４は、ボルト杆３１２底部の螺着部３１６に螺合している。
【０００９】
このように、外枠３０２’は、コンクリートＣ内に埋設され上記外枠３０２’から挿通突出した埋設ボルト３２４のボルト部３１４に底部の螺着部３１６と螺合したボルト杆３１２に被嵌した押え部材３０５により、二本の横角パイプ３０６ａ，３０６ｂを、ナット体３１０を介して外枠３０２’外面に押し付けることで、外側への傾倒を防止するようになっている。
【００１０】
【特許文献１】特開２００２−２９５０１０号公報
【考案の開示】
【考案が解決しようとする課題】
【００１１】
すなわち、上記の型枠保持具は、外枠３０２’を挿通して外方に突出したコンクリートＣ内に埋設された埋設ボルト３２４のボルト部３１４にボルト杆３１２を螺合し、このボルト杆３１２に被嵌される押え部材３０５を介してナット体３１０により二本の横角パイプ３０６ａ，３０６ｂにより外枠３０２’の外側面を押圧するように構成したものである。
【００１２】
しかしながら、このように構成される従来の型枠保持具では、多数の構成部材から構成されるため、施工時において多くの手間が掛かるだけでなくコスト高になる問題を有していた。
【００１３】
本考案は、このような問題点に着目してなされたもので、簡素な構成で且つ施工効率を向上することでコストを低減することができ、コンクリート基礎壁面の外観が損なわれることがなく型枠の傾倒を防止するようにしたコンクリート型枠傾倒防止具を提供することを目的とする。
【課題を解決するための手段】
【００１４】
上記目的を解決するために、本考案の請求項１に記載のコンクリート型枠傾倒防止具は、ベースコンクリートＢＣ上にコンクリートを打設してコンクリート基礎を形成する際に使用すべく所定間隔で対向配置される内枠４と外枠２から成る型枠の外方への傾倒を防止するコンクリート型枠傾倒防止具８に於いて、上記ベースコンクリートＢＣおよび該ベースコンクリートＢＣ上に打設されるコンクリートＣを収容保持すべく、地盤Ｇ上に長手方向に立設保持される複数の縦長外枠２に対応して内枠４が所定間隔をもって上記ベースコンクリートＢＣ上に立設保持され、上記各縦長外枠２の両端には、該縦長外枠２同士を接続すべく連結具１０を挿通するための複数の連結孔５を穿設したフランジＦを備えて成り、上記型枠傾倒防止具８は、薄板鋼鈑で所定長さの方形状に形成された長手方向に複数の貫通孔６が穿設されて、その一端側が上記縦長外枠２の下方に打設される上記ベースコンクリートＢＣの上面側内部に臨むように隣接する縦長外枠２のフランジＦ間に他端側が挟持されると共に、挟持された他端側が上記貫通孔６と選択された上記フランジＦの連結孔５とを挿通した上記連結具１０により締結され、上記ベースコンクリートＢＣ上にコンクリートＣが打設された際に上記縦長外枠２の傾倒を防止するようにしたことを特徴とするコンクリート型枠傾倒防止具である。
上記のコンクリート型枠傾倒防止具によれば、上記内枠４に対応して地盤上に立設保持した縦長外枠２同士を長手方向に接続する際に、薄板鋼鈑で方形状に形成された型枠傾倒防止具８の一端側を、上記縦長外枠２の下方に打設される上記ベースコンクリートＢＣの上面側内部に臨むように隣接する縦長外枠２端部のフランジＦ間に他端側を挟持して、該他端側の貫通孔６と選択された上記フランジＦの連結孔５とを挿通した連結具１０により締結する。これにより、ベースコンクリートＢＣ上にコンクリートＣが打設されて該コンクリートＣの重量が縦長外枠２に外側に向けて作用した際は、固設されたベースコンクリートＢＣにより一端側が保持された上記型枠傾倒防止具８により縦長外枠２の傾倒が防止される。
【００１５】
本考案の請求項２に記載のコンクリート型枠傾倒防止具は、上記縦長外枠２の離脱後に上記ベースコンクリートＢＣの外壁面から突出した該外壁面に対応する上下端縁に切断可能な切り欠き１３ａ，１３ｂが形成されていることを特徴とするコンクリート型枠傾倒防止具である。
上記のコンクリート型枠傾倒防止具によれば、打設されたコンクリートＣが固化した状態で上記縦長外枠２を離脱した際は、ベースコンクリートＢＣの外壁面から突出した型枠傾倒防止具８を、外壁面に対応して上下端縁に形成される切り欠き１３ａ，１３ｂから切断具（カッター）により切断される。
【考案の効果】
【００１６】
本考案は以下の効果を奏する。
【００１７】
請求項１に記載の考案によれば、薄板鋼鈑で方形状に形成された型枠傾倒防止具の一端が互いに接続される縦長外枠端部の縦長フランジ間に挟着され、上記縦長外枠の内部に臨む型枠傾倒防止具の一端がベースコンクリートＢＣ内に固設された型枠傾倒防止具により縦長外枠が保持されているので、簡素な構成で上記縦長外枠の傾倒を防止することができ、施工作業が単純化されて施工効率を向上することができ、延いてはコストの低減を図ることができる。
【００１８】
請求項２に記載の考案によれば、縦長外枠の離脱後にベースコンクリートＢＣの外壁面から突出した部位が外壁面に対応する切り欠きから容易に切断することができるので、コンクリート基礎壁面の外観が損なわれることなく平滑な壁面を形成することができる。
【考案を実施するための最良の形態】
【００１９】
本考案の実施例を以下に説明する。
【実施例１】
【００２０】
図１および図２には、本考案の実施例が示されている。図１は本考案に係るコンクリート型枠傾倒防止具を使用して縦長外枠の傾倒を防止したコンクリート基礎型枠の断面図、図２は本考案に係るコンクリート型枠傾倒防止具の全体斜視図、図３は本考案に係るコンクリート型枠傾倒防止具の使用例を示す要部の部分斜視図である。
【００２１】
図１において、１はコンクリート基礎型枠であって、このコンクリート基礎型枠１（以下型枠と称する）は、ベースコンクリートＢＣおよび該ベースコンクリートＢＣ上に打設されるコンクリートＣを収容保持すべく、地盤Ｇ上に型枠保持具Ｂを介して長手方向に複数の縦長外枠２が連続的に立設保持され、この縦長外枠２に対応して内枠４が所定間隔をもって上記ベースコンクリートＢＣ上に立設保持されている。
【００２２】
上記各縦長外枠２の長手方向両端には、該縦長外枠２同士を接続すべく後述する連結具を挿通するための複数の連結孔５を縦方向に穿設した縦長フランジＦを備えている。
【００２３】
図２において、８はコンクリート型枠傾倒防止具を示し、このコンクリート型枠傾倒防止具８（以下型枠傾倒防止具と称する）は、薄板鋼鈑で長手方向の一端側が幅広となる所定長さの台形状に形成された連結板９に、長手方向に複数（実施例では３個）の貫通孔６が穿設されている。
【００２４】
そして、上記連結板９の幅狭となる他端側には、ベースコンクリートＢＣの外壁面から突出した該外壁面に対応する上下端縁に切断可能な切り欠き１３ａ，１３ｂが形成されている。
【００２５】
これにより、打設されたコンクリートＣが固化した状態で上記縦長外枠２を離脱した後は、ベースコンクリートＢＣの外壁面から突出した部位を切り欠き１３ａ，１３ｂから切断具（カッター）により切断することができる。
【００２６】
上記型枠傾倒防止具８は、その一端側が上記縦長外枠２の下方に打設されるベースコンクリートＢＣの上面側内部に臨むように隣接する縦長外枠の縦長フランジＦ間に幅狭に形成された連結板９の他端側が挟持されると共に、挟持された他端側が上記貫通孔６と選択された上記縦長フランジＦの連結孔５に連結片１２を挿通した連結具１０により挟着される。
【００２７】
詳しくは、図３に示すように１０は公知の連結具（以下クランプ装置と称する）であって、このクランプ装置１０は、金属板を折曲成型したものであって、縦長外枠２の縦長フランジＦの連結孔５に挿入される略半円筒状をなす金属製の連結片１２と、隣接する縦長フランジＦをクランプするためのクランプ部１４により構成されている。
【００２８】
上記クランプ部１４は、断面コ字状に折曲形成されて、第１、第２の両クランプ片１４ａ，１４ｂが形成され、両クランプ片１４ａ，１４ｂ間には環状の第１の補強リブ１５ａが設けられ、両クランプ片１４ａ，１４ｂの背部には第２の補強リブ１５ｂが形成されている。
【００２９】
第１のクランプ片１４ａは内方にわずかに湾曲されており、両クランプ片１４ａ，１４ｂの一端部は幅狭の把手部１４ｃとなっている。第２のクランプ片１４ｂの側縁には、断面円弧状のてこ作用片１６が突設されている。一方のクランプ片１４ｂの他端部が延長されて、その先端には上記連結片１２がクランプ片１４ｂに対してほぼ直角に折曲形成されている。
【００３０】
そこで、上記構成のクランプ装置１０により隣接する縦長外枠２を連結するには、上記連結片１２を、隣接する縦長フランジＦの選択された連結孔５とこの縦長フランジＦ間に挟持された連結板９他端側の貫通孔６に挿通させる。
【００３１】
そして、上記クランプ装置１０を、連結片１２を中心として上記縦長外枠２の外面側に向けて回動させれば、両クランプ片１４ａ，１４ｂにより２枚の縦長フランジＦが挟持され、隣接する縦長外枠２が連結される。
【００３２】
次に、このクランプ装置１０を開放する際は、てこ作用片１６と縦長外枠２の外面との間にバール等を差込み、僅かな力を加えると上記縦長外枠２の外面が支点となり、てこの作用により作用片１６が持ち上げられ上記クランプ装置１０が開放されるようになっている。
【００３３】
次に、型枠の施工手順を説明する。
【００３４】
先ず、コンクリート基礎の型枠を施工する際に、地盤Ｇ上に設置した型枠保持具Ｂ上に複数の縦長外枠２を長手方向に列設した状態で立設保持し、これら縦長外枠２同士を長手方向に接続する際に、隣接する縦長フランジＦが上記連結孔５を挿通した複数の連結具となるボルトなどを介して締結される。
【００３５】
上記複数の縦長外枠２の縦長フランジＦ同士を締結する際に、上記連結板９の幅広状の一端側が上記縦長外枠２の下方に打設されるベースコンクリートＢＣの上面側内部に臨む位置になるように、隣接する縦長外枠端部の縦長フランジＦ間に他端側を位置決めし、その位置に対応すべく選択された縦長フランジＦの連結孔５を上記連結板９他端側の貫通孔６に合致させて上記連結片１２を挿通し、上記クランプ装置１０を回動操作して連結板９の他端側を挟持する。
【００３６】
複数の縦長外枠２が長手方向に立設保持された状態で、上記縦長外枠２の内側にベースコンクリートＢＣが打設されると、縦長外枠２の内側に突出した上記連結板９の一端側がベースコンクリートＢＣの内部に埋設される。
【００３７】
ベースコンクリートＢＣが固化されると、複数の縦長外枠２に対応して内枠４が所定間隔をもって上記ベースコンクリートＢＣ上に立設保持されると、上記縦長外枠２と内枠４で形成される間隙内にコンクリートＣが打設される。
【００３８】
上記ベースコンクリートＢＣ上にコンクリートＣが打設された際、コンクリートＣの重量が縦長外枠２に外方に向けて作用するが、固設されたベースコンクリートＢＣにより一端側が保持された上記型枠傾倒防止具８により上記縦長外枠２の外側に向く傾倒が防止される。
【００３９】
このように、複数の縦長外枠２同士を接続する際に、縦長フランジＦ間に連結具１０を介して挟着された型枠傾倒防止具８の一端がベースコンクリートＢＣ内に固設されるので、簡素な構成で上記縦長外枠２の傾倒を防止することができ、施工作業が単純化されて施工効率を向上することができ、延いてはコストの低減を図ることができる。
【００４０】
また、上記連結板９の幅狭となる他端側には、ベースコンクリートＢＣの外壁面から突出した該外壁面に対応する上下端縁に切断可能な切り欠き１３ａ，１３ｂが形成されているので、縦長外枠２の離脱後にベースコンクリートＢＣの外壁面から突出した部位が上記切り欠き１３ａ，１３ｂからベースコンクリートＢＣの外壁面と略同一面上で切断することができ、コンクリート基礎壁面の外観が損なわれることなく平滑な壁面を形成することができる。
【００４１】
次に、型枠傾倒防止具の変形例に付き図４を参照して説明する。
【００４２】
図４は、上記実施例の変形例に係る型枠傾倒防止具の部分斜視図である。なお、前述した構成部材と同一構成部材は同一符号を付してその説明を省略する。
【００４３】
図４において、８’は、変形例に係る型枠傾倒防止具であって、この型枠傾倒防止具８’は、薄板鋼鈑で矩形状に形成された連結板９’に、長手方向に複数（本変形例では３個）の貫通孔６が穿設されている。
【００４４】
上記型枠傾倒防止具８’は、その一端側が上記縦長外枠２の下方に打設されるベースコンクリートＢＣの上面側内部に臨むように隣接する縦長外枠の縦長フランジＦ間に上記連結板９’の他端側が挟持され、挟持された他端側は上記貫通孔６と選択された上記縦長フランジＦの連結孔５に連結具としてのボルト１８を挿通しこのボルト１８にナット２０を螺着することで挟着される。
【００４５】
本変形例に係る型枠傾倒防止具８’の作用、効果は、上記実施例と同じであり、その説明を省略する。なお、連結板９’他端側のベースコンクリートＢＣの外壁面から突出した該外壁面に対応する上下端縁にも図示しない切断可能な切り欠きを形成することができ、上記実施例と同様に上記切り欠きからベースコンクリートＢＣの外壁面と略同一面上で切断することができ、コンクリート基礎壁面の外観が損なわれることなく平滑な壁面を形成することができる。
【図面の簡単な説明】
【００４６】
【図１】本考案に係るコンクリート型枠傾倒防止具を使用して縦長外枠の傾倒を防止したコンクリート基礎型枠の断面図である。
【図２】本考案に係るコンクリート型枠傾倒防止具の全体斜視図である。
【図３】本考案に係るコンクリート型枠傾倒防止具の使用例を示す要部の部分斜視図である。
【図４】実施例の変形例に係る型枠傾倒防止具の部分斜視図である。
【図５】従来のコンクリート基礎を形成する型枠保持具を示す断面図である。
【図６】型枠の傾倒を防止した従来の型枠保持具の部分断面図である。
【符号の説明】
【００４７】
１                  コンクリート基礎型枠
２                  縦長外枠
４                  内枠
５                  連結孔
６                  貫通孔
８，８’            型枠傾倒防止具（コンクリート型枠傾倒防止具）
９，９’            連結板
１０                クランプ装置（連結具）
１２                連結片
１３ａ，１３ｂ      切り欠き
１４                クランプ部
１４ａ，１４ｂ      クランプ片
１４ｃ              把手部
１５ａ，１５ｂ      補強リブ
１６                作用片
１８                ボルト
２０                ナット
Ｂ                  型枠保持具
ＢＣ                ベースコンクリート
Ｃ                  コンクリート
Ｆ                  縦長フランジ
Ｇ                  地盤
【図１】
0003119713.tif 000003
【図２】
0003119713.tif 000004
【図３】
0003119713.tif 000005
【図４】
0003119713.tif 000006
【図５】
0003119713.tif 000007
【図６】
0003119713.tif 000008